(57)【要約】【課題】  熱発電部により熱起電力を発生し、本体が転倒した時、燃焼筒が確実に外れて緊急消火を素早く行う石油ストーブを提供する。【解決手段】  熱発電部２３の高温部２４を、燃焼筒９上部に位置する受熱部３３と、該受熱部３３からの熱が伝熱されて高温となる固定部３４と、前記受熱部３３と固定部３４とを取り付ける取り付け部３５と該取り付け部３５同士が回動自在になるように該取り付け部３５を軸支する軸支部３６とからなる係合部３７とにより構成したので、燃焼中に石油ストーブが転倒した時、その勢いにより燃焼筒９が上方向に移動して、その燃焼筒９の上部が受熱部３３に当たっても、係合部３７の軸支部３６を中心にして受熱部３３が動いて燃焼筒９が芯案内筒１３から外れるのを妨げることがなく、石油ストーブが転倒して緊急消火する時、素早く消火させることができるものである。【選択図】  図１
2015034666.tif 000002
【特許請求の範囲】
【請求項１】
上面板と左右の側面板と前面板と背面板と下皿とからなる本体枠内に、燃油タンクと、該燃油タンクの燃油を吸い上げ上下動する燃焼芯と、該燃焼芯を内蔵した燃焼筒とを設け、該燃焼筒により加熱される位置に設けた高温部と、燃焼筒により加熱されない位置に設けた低温部とを有する熱発電部により熱起電力を発生する石油ストーブに於いて、前記高温部は、燃焼筒上部に位置する受熱部と、該受熱部からの熱が伝熱されて高温となる固定部と、前記受熱部と固定部とを取り付ける取り付け部と該取り付け部同士が回動自在になるように該取り付け部を軸支する軸支部とからなる係合部とにより構成されることを特徴とする石油ストーブ。
【請求項２】
前記高温部は略Ｌ字状に形成され、燃焼筒上部に位置する受熱部は係合部の軸支部を中心にして上方向に動くことを特徴とする請求項１記載の石油ストーブ。
【請求項３】
上面板と左右の側面板と前面板と背面板と下皿とからなる本体枠内に、燃油タンクと、該燃油タンクの燃油を吸い上げ上下動する燃焼芯と、該燃焼芯を内蔵した燃焼筒とを設け、該燃焼筒により加熱される位置に設けた高温部と、燃焼筒により加熱されない位置に設けた低温部とを有する熱発電部により熱起電力を発生する石油ストーブに於いて、前記高温部は、燃焼筒上部に位置する受熱部と、該受熱部からの熱が伝熱されて高温となる固定部とからなり、前記受熱部は、固定部と一体になっている部分と動く部分とを有し、前記固定部と一体になっている部分と動く部分とを取り付ける取り付け部と該取り付け部同士が回動自在になるように該取り付け部を軸支する軸支部とからなる係合部とにより構成されることを特徴とする石油ストーブ。
【請求項４】
前記高温部は略Ｌ字状に形成され、受熱部の動く部分は係合部の軸支部を中心にして上方向に動くことを特徴とする請求項３記載の石油ストーブ。
【発明の詳細な説明】
【技術分野】
【０００１】
この発明は、燃芯を上下動して火力調節を行う石油ストーブに関するものである。
【背景技術】
【０００２】
従来、この種のものにおいては、灯油等の液体燃料を燃焼筒内の燃焼芯に染み込ませ、それに電池からの電流により加熱された点火ヒータを押し当てて着火させ、その燃焼熱を直接または反射板を用いたりして、輻射熱によって目的の方向への暖房を行うもので、本体内に地震の振動や器具の転倒を検知して、燃焼筒で燃焼されている場合、強制的に燃焼芯を消火位置に動作させて燃焼を停止させる対震自動消火装置を備えているものが知られている。（例えば特許文献１参照）
【０００３】
また、燃焼熱を利用してゼーベック効果により熱を電気に変換する熱電変換素子によって起電力を発生させ、その発生した起電力により送風ファンを駆動させて、温風を吹き出すものがある。（例えば特許文献２参照）
【０００４】
ところで、この特許文献１に記載されているものでは、燃焼筒からの熱により石油ストーブ本体の上面板が加熱されて高温になり、水の入ったやかん等を上面板の上に載せておけば、お湯を沸かすことができる反面、高温になった上面板に手が触れたりすると火傷をする危険性があった。
【０００５】
そこで、出願人は、燃焼筒により加熱される位置に設けた高温部と、燃焼筒により加熱されない位置に設けた低温部とを有する熱発電部により発生した熱起電力を蓄電部に蓄電し、消火後に蓄電部からお知らせランプに電力を供給して、消火後に上面板が火傷の恐れのない温度になるまでお知らせランプを点灯させることで、点火用ヒータを加熱する点火ヒータ用の電池を消耗せずに上面板に触れることによる火傷の防止を図ることができるものを先に出願したものである。（特願２０１３−１３０９０６号）
【先行技術文献】
【特許文献】
【０００６】
【特許文献１】特開２００７−２４３９３号公報
【特許文献２】特開２００４−１５６８１１号公報
【発明の概要】
【発明が解決しようとする課題】
【０００７】
ところで、この従来のものでは、器具の転倒により対震自動消火装置が作動して燃焼停止する場合、器具本体が倒れた勢いで燃焼筒が外れて燃焼芯の周りに高温のものがない状態になり、それにより燃焼筒が外れないで対震自動消火装置が作動して燃焼停止する場合に比べて早く消火するが、出願人が先に出願したもののように熱発電部の高温部を燃焼筒により加熱される位置、例えば燃焼筒の上方に設けた場合、器具本体が倒れて対震自動消火装置が作動して燃焼停止する時に、器具本体が倒れた勢いで燃焼筒が外れようとしても、燃焼筒上部が熱発電部の高温部に接触して燃焼筒が充分外れた状態にならず、消火するまでの時間が燃焼筒が外れた時よりも長くなってしまう場合があるという問題があった。
【課題を解決するための手段】
【０００８】
上記課題を解決するために、本発明の請求項１では、上面板と左右の側面板と前面板と背面板と下皿とからなる本体枠内に、燃油タンクと、該燃油タンクの燃油を吸い上げ上下動する燃焼芯と、該燃焼芯を内蔵した燃焼筒とを設け、該燃焼筒により加熱される位置に設けた高温部と、燃焼筒により加熱されない位置に設けた低温部とを有する熱発電部により熱起電力を発生する石油ストーブに於いて、前記高温部は、燃焼筒上部に位置する受熱部と、該受熱部からの熱が伝熱されて高温となる固定部と、前記受熱部と固定部とを取り付ける取り付け部と該取り付け部同士が回動自在になるように該取り付け部を軸支する軸支部とからなる係合部とにより構成されるものである。
【０００９】
また、請求項２では、前記高温部は略Ｌ字状に形成され、燃焼筒上部に位置する受熱部は係合部の軸支部を中心にして上方向に動くものである。
【００１０】
また、請求項３では、前記上面板と左右の側面板と前面板と背面板と下皿とからなる本体枠内に、燃油タンクと、該燃油タンクの燃油を吸い上げ上下動する燃焼芯と、該燃焼芯を内蔵した燃焼筒とを設け、該燃焼筒により加熱される位置に設けた高温部と、燃焼筒により加熱されない位置に設けた低温部とを有する熱発電部により熱起電力を発生する石油ストーブに於いて、前記高温部は、燃焼筒上部に位置する受熱部と、該受熱部からの熱が伝熱されて高温となる固定部とからなり、前記受熱部は、固定部と一体になっている部分と動く部分とを有し、前記固定部と一体になっている部分と動く部分とを取り付ける取り付け部と該取り付け部同士が回動自在になるように該取り付け部を軸支する軸支部とからなる係合部とにより構成されるものである。
【００１１】
また、請求項４では、前記高温部は略Ｌ字状に形成され、受熱部の動く部分は係合部の軸支部を中心にして上方向に動くものである。
【発明の効果】
【００１２】
この発明の請求項１によれば、熱発電部の高温部を、燃焼筒上部に位置する受熱部と、該受熱部からの熱が伝熱されて高温となる固定部と、前記受熱部と固定部とを取り付ける取り付け部と該取り付け部同士が回動自在になるように該取り付け部を軸支する軸支部とからなる係合部とにより構成したので、燃焼中に石油ストーブが転倒した時、石油ストーブが転倒する勢いにより燃焼筒が上方向に移動して、その燃焼筒の上部が熱発電部の高温部の受熱部に当たっても、係合部の軸支部を中心にして受熱部が動いて燃焼筒が芯案内筒から外れるのを妨げることがなく、石油ストーブが転倒して緊急消火する時、素早く消火させることができるものである。
【００１３】
また、請求項２によれば、前記高温部は略Ｌ字状に形成され、燃焼筒上部に位置する受熱部は係合部の軸支部を中心にして上方向に動くので、通常の燃焼時には高温部の受熱部に燃焼筒内を上昇する高温の燃焼ガスが当たって高温部が加熱され、それにより高温部と低温部との温度差が大きくなることで熱発電部の起電力が大きくなり、石油ストーブが転倒した時、石油ストーブが転倒する勢いにより燃焼筒が上方向に移動して、その燃焼筒の上部が熱発電部の高温部の受熱部に当たっても、係合部の軸支部を中心にして受熱部が上方向に動くので、燃焼筒が芯案内筒から外れるのを妨げることがなく、石油ストーブが転倒して緊急消火する時、素早く消火させることができるものである。
【００１４】
また、請求項３によれば、前記熱発電部の高温部は、燃焼筒上部に位置する受熱部と、該受熱部からの熱が伝熱されて高温となる固定部とを有し、前記受熱部を、固定部と一体になっている部分と、上方向に動く部分と、前記固定部と一体になっている部分と動く部分とを取り付ける取り付け部と該取り付け部同士が回動自在になるように該取り付け部を軸支する軸支部とからなる係合部とにより構成したので、燃焼中に石油ストーブが転倒した時、石油ストーブが転倒する勢いにより燃焼筒が上方向に移動して、その燃焼筒の上部が熱発電部の高温部の受熱部に当たっても、係合部の軸支部を中心にして受熱部が動いて燃焼筒が芯案内筒から外れるのを妨げることがなく、石油ストーブが転倒して緊急消火する時、素早く消火させることができるものである。
【００１５】
又、受熱部の固定部と一体になっている部分に、燃焼筒から上昇してくる高温の燃焼ガスの一部が直接当たるため、固定部への熱伝導がより効率よく行うことができるものである。
【００１６】
また、請求項４によれば、前記高温部は略Ｌ字状に形成され、受熱部の動く部分は係合部の軸支部を中心にして上方向に動くので、通常の燃焼時には高温部の受熱部に燃焼筒内を上昇する高温の燃焼ガスが当たって高温部が加熱され、それにより高温部と低温部との温度差が大きくなることで熱発電部の起電力が大きくなり、石油ストーブが転倒した時、石油ストーブが転倒する勢いにより燃焼筒が上方向に移動して、その燃焼筒の上部が熱発電部の高温部の受熱部に当たっても、係合部の軸支部を中心にして受熱部が上方向に動くので、燃焼筒が芯案内筒から外れるのを妨げることがなく、石油ストーブが転倒して緊急消火する時、素早く消火させることができるものである。
【００１７】
又、受熱部の固定部と一体になっている部分に、燃焼筒から上昇してくる高温の燃焼ガスの一部が直接当たるため、固定部への熱伝導がより効率よく行うことができるものである。
【図面の簡単な説明】
【００１８】
【図１】この発明の一実施形態の正面図。
【図２】同断面図。
【図３】同高温部の受熱部の斜視図。
【図４】同受動部が動作した時の斜視図。
【図５】他の実施形態を示す高温部の受熱部の斜視図。
【図６】同受動部の一部が動作した時の斜視図。
【発明を実施するための形態】
【００１９】
次に、この発明の一実施形態における石油ストーブを図に基づいて説明する。
１は本体枠で、上面板２と、左右の側面板３と、前面板４と、背面板５と、下皿６とからなるものである。
【００２０】
７は本体枠１内を上下に仕切る下反射板で、該下反射板７で仕切られた上方の放熱室８には、上下動する燃焼芯（図示せず）が内蔵された燃焼筒９が配置され、該燃焼筒９の背面には反射板１０が設けられているものである。
【００２１】
又、前記下反射板７で仕切られた下方の機構室１１には、燃油タンク１２の上方に外筒（図示せず）と内筒（図示せず）とからなる芯案内筒１３が設けられ、この外筒と内筒との間に芯案内溝（図示せず）が形成されると共に、その上部に前記燃焼筒９が設けられていると共に、制御基板１４が設けられているものである。
【００２２】
１５は放熱室８の前方に備えられたガードで、放熱室８の燃焼筒９に直接物が当たるのを防止するものである。
１６は前面板４に設けられた操作部で、燃焼芯を上下させる芯上下レバー１７と、点火用ヒータ（図示せず）を点火ヒータ用電池により通電して加熱し、その加熱した点火用ヒータを燃焼芯に押し当てて点火する点火レバー１８とを備えたものである。
【００２３】
１９は前面板４に設けられた緊急消火用ボタンで、このボタンを押すと消火装置（図示せず）が作動して消火されるものである。
２０は前面板４に設けられた給油表示窓で、燃油タンク１２内の燃油量が目視できるものである。
２１はＬＥＤからなるお知らせランプで、上面板２が火傷の危険性がある高温で点灯し、上面板２が火傷の危険性のない低温になると消灯するもので、本実施例では消費電力が０．０４ＷのＬＥＤが使用されているものである。
【００２４】
２３は熱発電部で、燃焼筒９上部に位置する高温部２４と、背面板５上部に形成された通気孔２５のところに設けられた低温部２６とからなり、燃焼筒９により高温に加熱される高温部２４と、室温程度の低温部２６との温度差によりゼーベック効果で起電力が発生するものである。
【００２５】
前記高温部２４は略Ｌ字状で、燃焼筒９に加熱される部分は、その先端が燃焼筒９の略中心に位置するように設けられているので、それにより燃焼筒９により充分高温に加熱されると共に、燃焼筒９の燃焼に影響を与えないものであり、又低温部２６は、背面板５上部に形成された通気孔２５付近に設けたことで常に室温と同じくらいの温度となり、これにより高温部２４と低温部２６との温度差を最大にして大きな熱起電力を発生できるものである。
【００２６】
又、前記熱発電部２３は、酸化物系または合金系の熱電変換材料であることが好ましく、酸化物系の熱電変換素子の材料としては、ＮａＣｏ２Ｏ４、Ｂｉ２Ｓｒ２Ｃｏ２Ｏｘ系、Ｃａ３ＢｉＣｏＯｘ系、Ｌａ１−ｘＳｒｘＣｏＯｙ系材料，Ｚｎ１−ｘＡｌｘＯ（ｘ＝０〜０．０３）系酸化物、Ｉｎ−Ｚｎ−Ｏ系酸化物（Ｉｎ２Ｏ３（ＺｎＯ）ｘ （ｘ＝１〜９）およびこれとＩｎ２Ｏ３との混合焼結体）等があり、その中でも、高温でも安定であることから、Ｉｎ−Ｚｎ−Ｏ系酸化物がより好ましい。
【００２７】
また、合金系の熱電変換素子の材料としては、Ｆｅ−Ｓｉ系、Ｃｏ−Ｓｂスクッテルダイト系、及び熱電対によく用いられているクロメル、アロメル、コンスタンタン系材料等があるものである。
また、酸化物と合金の組み合わせでもよく、例えば、ｎ型酸化物であるＩｎ−Ｚｎ−Ｏ系酸化物に対しては、ｐ型であるステンレス合金等との組み合わせが好適である。
【００２８】
２７は蓄電部で、充電式の電池やバッテリ、大容量のコンデンサ等からなり、熱発電部２３にて発生した起電力により蓄電され、消火されて熱発電部２３の発生する起電力が低下すると、お知らせランプ２１に蓄電した電力を供給するものである。
【００２９】
２８は対震消火装置で、地震発生時に地震の揺れを感知するための重り２９と、この重り２９を乗せる重り台３０と、ロック金具３１から成り、このロック金具３１は軸３２にて重り台３０に回動自在に取り付けられ、係止ロット（図示せず）が芯上下軸（図示せず）の回転をロックして燃焼芯の下降を阻止するロックギア（図示せず）に係止し、前記重り２９の足部が重り台３０の穴とロック金具３１の穴を貫通し、重り２９の揺れをロック金具３１に伝え、ロックギアを解除して燃焼芯を一度に下降するものである。
【００３０】
前記熱発電部２３の高温部２４は、図３に示すように、燃焼筒９上部に位置する受熱部３３と、該受熱部３３からの熱が伝熱されて高温となる固定部３４と、前記受熱部３３を取り付ける取り付け部３５と、固定部３４を取り付ける取り付け部３５とが回動自在になるようにそれぞれの取り付け部３５を軸支する軸支部３６とからなる係合部３７とからなるものである。
【００３１】
前記係合部３７は、熱伝導率の高いアルミニウム合金からなり、前記受熱部３３と取り付け部３５及び固定部３４と取り付け部３５には、ねじ切りされた固定孔３８が複数形成され、一方の取り付け部３５の固定孔３８から受熱部３３の固定孔３８に向かって固定ねじ３９を取り付けることにより一方の取り付け部３５に受熱部３３が係止され、又、他方の取り付け部３５の固定孔３８から固定部３４の固定孔３８に向かって固定ねじ３９を取り付けることにより他方の取り付け部３５に固定部３４が係止されるものである。
【００３２】
又、前記取り付け部３５の長さは、受熱部３３及び固定部３４の幅と同一で、受熱部３３から係合部３７を介して固定部３４に熱が充分伝導されるように、取り付け部３５と受熱部３３及び取り付け部３５と固定部３４との接触面積が確保された状態で固定ねじ３９により係止されるものである。
【００３３】
次にこの石油ストーブの動作について説明する。
まず、操作部１６の芯上下レバー１７と点火レバー１８とを押し下げると、燃焼芯が上昇して芯案内筒１３から露出し、そこに通電されて高温になった点火用ヒータが燃焼芯に押し当てられる。
【００３４】
前記燃焼芯は、燃油タンク１２内の燃油を吸い上げており、この吸い上げた燃油を高温になった点火用ヒータが点火することにより、燃焼が開始される。
【００３５】
燃焼が開始されると、高温の燃焼ガスが燃焼筒９内を上昇して上面板２に当たるため、燃焼が開始してから所定時間後、本実施例では６分後に上面板２の温度は３５０℃になり、燃焼継続中はほぼその温度に保たれる。
【００３６】
又、燃焼が開始されると、高温の燃焼ガスが燃焼筒９内を上昇して上面板２に当たるが、その燃焼ガスの一部が上面板２に当たる前に燃焼筒９の上部に位置する熱発電部２３の高温部２４に当たって高温部２４が加熱され、それにより高温部２４と低温部２６との温度差が大きくなることで熱発電部２３の起電力が大きくなっていく。
【００３７】
そして燃焼が開始してから所定時間後、本実施例では６分後に熱発電部２３の起電力が所定の電力、本実施例では電圧が５Ｖ、電流が０．５Ａで２．５Ｗの電力が発生し、その発生した起電力の一部、本実施例では０．０４Ｗがお知らせランプ２１に供給されると共に、発生した起電力の大部分、本実施例では２．４６Ｗが蓄電部２７に供給されるものである。
【００３８】
次に燃焼中に石油ストーブが転倒して対震消火装置２８が動作して緊急消火する動作について説明する。
まず燃焼中の石油ストーブが地震等により転倒すると、重り２９が重り台３０から転倒してロック金具３１が回動し、係止ロットがロックギアから外れてバネ（図示せず）の力で瞬時に燃焼芯が下降し燃焼を停止するものである。
【００３９】
この時、石油ストーブが転倒する勢いにより燃焼筒９が上方向に移動して芯案内筒１３から外れるが、この時、上方向に移動した燃焼筒９の上部が熱発電部２３の高温部２４の受熱部３３に当たる。
受熱部３３は燃焼筒９の上部が当たると、係合部３７の軸支部３６を中心にして上方向に動くので、燃焼筒９が芯案内筒１３から外れるのを妨げることがなく、石油ストーブが転倒して緊急消火する時、素早く消火させることができるものである。
【００４０】
又、マッチやライター等により直接燃焼芯に着火させる場合や、燃焼筒９の周りを清掃する場合も、手で燃焼筒９を持ち上げた時、受熱部３３に燃焼筒９の上部が当たると、係合部３７の軸支部３６を中心にして上方向に可動するので、燃焼筒９を持ち上げるのを妨げることがなく、スムーズにマッチやライター等により直接燃焼芯に着火でき、又、スムーズに燃焼筒９の周りを清掃することができるものである。
【００４１】
以上のように、熱発電部２３の高温部２４が、燃焼筒９上部に位置する受熱部３３と、該受熱部３３からの熱が伝熱されて高温を形成する固定部３４と、前記受熱部３３と固定部３４とを取り付ける取り付け部３５と該取り付け部３５同士が回動自在になるように該取り付け部３５同士を軸支する軸支部３６とからなる係合部３７とからなることにより、石油ストーブが転倒する勢いにより燃焼筒９が上方向に移動して芯案内筒１３から外れて受熱部３３に当たっても、係合部３７の軸支部３６を中心にして上方向に動くので、燃焼筒９が芯案内筒１３から外れるのを妨げることがなく、石油ストーブが転倒して緊急消火する時、素早く消火させることができるものである。
【００４２】
又、取り付け部３５と受熱部３３及び取り付け部３５と固定部３４とが接触面積が確保された状態で固定ねじ３９により係止されていることにより、受熱部３３から係合部３７を介して固定部３４に熱が充分伝導され、それにより熱発電部２３の高温部２４と低温部２６との温度差が大きくなって熱発電部２３の起電力が大きくなるものである。
【００４３】
尚、図５及び図６は他の実施形態で、受熱部３３が固定部３４と一体になっている部分と上方向に動く部分とにより形成され、その固定部３４と一体になっている部分と上方向に動く部分とが係合部３７により繋がっているもので、受熱部３３の固定部３４と一体になっている部分と係合部３７の取り付け部３５とが固定ねじ３９により係止されていると共に、受熱部３３の上方向に動く部分と係合部３７の取り付け部３５とが固定ねじ３９により係止されているものである。
【００４４】
この場合は受熱部３３の固定部３４と一体になっている部分に、燃焼筒９から上昇してくる高温の燃焼ガスの一部が直接当たるため、固定部３４への熱伝導がより効率よく行われるものである。
【符号の説明】
【００４５】
１  本体枠
２  上面板
３  側面板
４  前面板
５  背面板
６  下皿
９  燃焼筒
１２  燃油タンク
２３  熱発電部
２４  高温部
２６  低温部
３３  受熱部
３４  固定部
３５  取り付け部
３６  軸支部
３７  係合部
【図１】
2015034666.tif 000003
【図２】
2015034666.tif 000004
【図３】
2015034666.tif 000005
【図４】
2015034666.tif 000006
【図５】
2015034666.tif 000007
【図６】
2015034666.tif 000008